(57)【要約】  【課題】販売商品収納室から補給商品収納室への加熱空気の漏れを少なくできる自動販売機を提供する。  【解決手段】自動販売機本体１内を上下に仕切る遮蔽扉２を間にして、遮蔽扉２の上方には補給用商品Ｓを収納した補給商品収納室３を設け、下方には上下に複数配列した各案内板６ａ間に販売用商品Ｓを収納した販売商品収納室４を設け、送風機１２及び加熱装置１１により販売商品収納室４に加熱空気を循環し販売商品を加熱する自動販売機において、各案内板６ａのうち最上部の案内板６０は水平方向に貫通した通気孔を有する構造となっている。これにより、遮蔽扉２側に溜まった加熱空気が通気孔を通じて水平方向に流れ、補給商品収納室３に漏れる加熱空気量が少なくなる。【選択図】  図１
2005293365.tif 000002
【特許請求の範囲】
【請求項１】
自動販売機本体内を上下に仕切る遮蔽扉を間にして、該遮蔽扉の上方には補給用商品を収納した補給商品収納室を設け、下方には上下に複数配列した各案内板間に販売用商品を収納した販売商品収納室を設け、送風機及び加熱装置により該販売商品収納室に加熱空気を循環し販売用商品を加熱する自動販売機において、
前記各案内板のうち最上部の案内板は水平方向に貫通した通気孔を有する
ことを特徴とする自動販売機。
【請求項２】
前記通気孔は前記最上部の案内板の少なくとも上部に有する
ことを特徴とする請求項１記載の自動販売機。
【発明の詳細な説明】
【技術分野】
【０００１】
本発明は、補給用商品を収納した商品貯蔵室と販売用商品を収納した販売商品収納室とを有する自動販売機に関するものである。
【背景技術】
【０００２】
従来、この種の自動販売機として特許文献１に記載されたものが知られている。この自動販売機は、その本体内を遮蔽扉により上下に仕切っており、遮蔽扉の上方には補給用商品を収納した補給商品収納室を設け、下方には販売用商品を収納した販売商品収納室を設けている。また、各室には蛇行状に商品通路が形成されるよう複数の案内板を有し、各案内板間に商品が収容されている。
【０００３】
ここで、商品を継続的に販売することにより、販売商品収納室の商品数量が減少したときは、補給商品収納室から販売商品収納室に商品が補給される。また、販売商品収納室の下部には加熱装置及び送風機が設置されており、販売商品収納室で加熱空気を上下に循環して販売商品のみを加熱し、これにより、省エネを実現している。
【特許文献１】特開２００２−２７９５１１号公報
【発明の開示】
【発明が解決しようとする課題】
【０００４】
ところで、補給商品収納室と販売商品収納室は遮蔽扉により仕切られているが、各室が完全に仕切られているものではない。なぜなら、販売商品収納室側からの加熱空気漏れを完全に押さえるためには、遮蔽扉として空気漏れ防止構造を採用する必要があるし、また、遮蔽扉を断熱構造とする必要があり、これにより、部品点数の増大はもとより、商品収納スペースが狭くなるという弊害が生ずるからである。
【０００５】
しかしながら、各案内板が上下方向に延在されているため、加熱空気が各案内板を通って上方に向かって流れ易く、一方、各案内板が障害となって加熱空気が水平方向に流れ難くなっている。この結果、遮蔽扉側には加熱空気が溜まり易く、これにより、補給商品収納室に向かって加熱空気が多量に漏れるという事態が起きている。また、この加熱空気漏れを放置するときは、省エネ効果が著しく低下し、補給商品収納室を販売商品収納室から分離すること自体が意味をなさなくなる。
【０００６】
本発明の目的は、前記従来の課題に鑑み、販売商品収納室から補給商品収納室への加熱空気の漏れを少なくできる自動販売機を提供することにある。
【課題を解決するための手段】
【０００７】
本発明は前記課題を解決するため、請求項１の発明は、自動販売機本体内を上下に仕切る遮蔽扉を間にして、遮蔽扉の上方には補給用商品を収納した補給商品収納室を設け、下方には上下に複数配列した各案内板間に販売用商品を収納した販売商品収納室を設け、送風機及び加熱装置により販売商品収納室に加熱空気を循環し販売商品を加熱する自動販売機において、各案内板のうち最上部の案内板は水平方向に貫通した通気孔を有する構造となっている。
【０００８】
本発明によれば、各案内板のうち最上部の案内板は水平方向に貫通した通気孔を有するので、遮蔽扉側に溜まった加熱空気が通気孔を通じて水平方向に流すことができる。これにより、補給商品収納室に漏れる加熱空気量を少なくなる。なお、通気孔が最上部の案内板の上部に形成されているときは、通気孔が遮蔽扉に近くなる分、遮蔽扉側の加熱滞留空気が通気孔にスムーズに流れる（請求項２の発明）。
【発明の効果】
【０００９】
本発明によれば、遮蔽扉側に溜まった加熱空気が通気孔を通じて水平方向に流すことができ、これにより、加熱空気の滞留が少なくなるため、販売商品収納室から補給商品収納室に漏れる加熱空気量が少なくなる。
【発明を実施するための最良の形態】
【００１０】
図１乃至図４は本発明に自動販売機の一実施形態を示すもので、図１は自動販売機の断面図、図２は最上部の案内板の正面図、図３は図２のＡ−Ａ線矢視方向の断面図、図４は商品の補給操作及び加熱空気の流れを示す断面図である。
【００１１】
この自動販売機の概略構成を図１を参照して説明する。この自動販売機は、商品Ｓを収納する自動販売機本体１を有しており、外気温度の影響を受けることがないよう断熱材で形成されている。また、この本体１内は複数の遮蔽扉２で上下に分離されており、この遮蔽扉２の上方には補給用の商品Ｓを収納する補給商品収納室３を形成し、下方には販売用の商品Ｓを収納する販売商品収納室４を形成している。なお、各遮蔽扉２は、図４に示すように、二枚の回動自在の開閉プレート２ａ，２ｂを観音扉状に配置しており、各開閉プレート２ａ，２ｂは図示しないバネ部材で閉鎖状態に維持され（図４の実線で示した状態）、また、補給商品収納室３から商品Ｓが落下するときは、その商品自重により開放されるようになっている（図４の破線で示した状態）。
【００１２】
この補給商品収納室３には前後に複数のサーペンタインラック５を配置している。この各ラック５は湾曲した複数の案内板５ａを前後に対向させ、各案内板５ａ間に上下に蛇行する商品通路５ｂを形成している。また、各ラック５の上方には商品投入装置５ｃが設置されており、本体１の前面側から補給用商品Ｓが投入されたとき、この補給用商品Ｓが商品投入装置５ｃを通じてラック５内に収納されるようになっている。また、各ラック５の下部には商品Ｓを一個ずつ落下搬出する商品搬出装置５ｄを設けている。
【００１３】
一方、販売商品収納室４には前記補給商品収納室３と同様に複数のサーペンタインラック６を有しており、各ラック６は各遮蔽扉２を間にて上方の各ラック５と対向するよう配置されている。また、各ラック６は前記各ラック５と同様に湾曲した複数の案内板６ａを前後に対向させ、各案内板６ａ間に上下に蛇行する商品通路６ｂを形成している。また、ラック６の下部にはこれまた前記各ラック５と同様に商品搬出装置６ｃを設けており、ランク６内の商品Ｓを一個ずつ落下搬出するようになっている。
【００１４】
また、販売商品収納室４の下部には商品取出口７に商品Ｓを搬送するシュート板８が設置され、販売商品収納室４の背面側には販売商品収納室４の上下に亘って延在されたダクト９が設置され、更に、シュート板８の下方には冷却器１０、加熱装置１１及び送風機１２が設置されている。
【００１５】
以上のように構成された自動販売機において、販売商品収納室４の各案内板６ａ中、遮蔽扉２の近傍に配置された最上部の案内板６０を図２及び図３に示すように形成している。
【００１６】
即ち、案内板６０は全体に横長長方形状に形成されており、外側に向かって僅かに湾曲した主案内部６１と、主案内部６１の上端から垂直上方向に延在した上部案内部６２とから構成されている。この主案内部６１の上部には横方向に間隔をおいて軸受け部６３が形成されており、この軸受け部６３に図４に示すように商品検知板６４が軸支されている。
【００１７】
案内板６０の主案内部６１の下部側には横方向に間隔をおいて多数の下部通気孔６５が穿設され、また、上部案内部６２にも同じく、横方向に間隔をおいて多数の上部通気孔６６が穿設されている。ここで、各下部通気孔６５は縦長に形成され、各上部通気孔６６は円形状に形成されており、各案内板６０を販売商品収納室４に設置した際、各通気孔６５，６６が水平方向に貫通した状態となっている。
【００１８】
なお、前記商品検知板６４は、図４に示すように、補給商品収納室３から販売商品収納室４に商品Ｓが落下搬出された際、その商品自重により回転するもので、商品検出板６４の回転を図示しないスイッチ装置により検出し、販売商品収納室４への商品補給量を制御するようになっている。
【００１９】
本実施形態に係る自動販売機において、販売商品収納室４を加熱するときは、加熱装置１１及び送風機１２に通電する。これにより、販売商品収納室４の空気が図１の一点鎖線矢印に示すように循環する。即ち、加熱装置１１で加熱された空気がシュート板８の図示しない貫通孔からシュート板８の上方に吹き出される。この吹出加熱空気はコラム６の各案内板６ａを通じて上方に向かって流れ、そして最上部の各案内板６０及び遮蔽扉２側に達する。遮蔽扉２側に達した加熱空気は、図４に示すように、下部通気孔６５や上部通気孔６６を通り、ダクト９側に向かって流れる。ダクト９側に流れた加熱空気はダクト９内に流れ、加熱装置１１で再び加熱される。このような加熱空気の循環により販売商品収納室４の商品Ｓが加熱される。
【００２０】
本実施形態によれば、前述したように、遮蔽扉２側に達した加熱空気が下部通気孔６５や上部通気孔６６を通ってダクト９側にスムーズに案内されるため、加熱空気が遮蔽扉２側に滞留することがない。この結果、遮蔽扉２から補給商品収納室３への加熱空気漏れが少なくなり、省エネ性能が向上する。また、補給用商品Ｓの加熱が抑制されるため、補給用商品Ｓの加温劣化を防止することができる。
【図面の簡単な説明】
【００２１】
【図１】自動販売機の断面図
【図２】最上部の案内板の正面図
【図３】図２のＡ−Ａ線矢視方向の断面図
【図４】商品の補給操作及び加熱空気の流れを示す断面図
【符号の説明】
【００２２】
１…自動販売機本体、２…遮蔽扉、３…補給商品収納室、４…販売商品収納室、５，６…サーペンタインラック、５ａ，６ａ…案内板、１１…加熱装置、１２…送風機、６０…最上部の案内板、６５…下部通気孔、６６…上部通気孔、Ｓ…商品。
【図１】
2005293365.tif 000003
【図２】
2005293365.tif 000004
【図３】
2005293365.tif 000005
【図４】
2005293365.tif 000006